(57)【要約】【課題】  産業用機械に組み込まれた表示装置の使い勝手を向上させる。【解決手段】  表示装置の電源が投入されると、自動的にブラウザが起動され、送受信部２１は、指定されたＷｅｂページから表示データを取得する。表示形式指定部２２は、取得した表示データをディスプレイ部１１の画面全体に表示させる旨の指定をする。表示制御部２３は、ツールバー、アドレスバー、ステータスバーの無いコンテンツ表示領域のみからなるウィンドウを生成し、Ｗｅｂページから取得した表示データを、表示形式指定部２２により指定された形式でそのウィンドウ内に表示する。他のＷｅｂページを表示する際には、新たなウィンドウを生成することなく、先に表示されているウィンドウが使用される。【選択図】      図４
2005056309.tif 000002
【特許請求の範囲】
【請求項１】
産業用機械に組み込まれたブラウザ機能を備える表示装置であって、
ディスプレイ部と、
サーバから表示データを受信する受信手段と、
上記受信した表示データの表示形式を指定する表示形式指定手段と、
上記表示形式指定手段により指定された表示形式で上記表示データを上記ディスプレイ部に表示する表示制御手段、
を有し、
上記表示形式指定手段は、上記受信した表示データを上記ディスプレイ部の画面全体に表示させるための表示形式を指定する
ことを特徴とする表示装置。
【請求項２】
請求項１に記載の表示装置であって、
上記受信手段、表示形式指定手段、表示制御手段は、当該表示装置の電源の投入に伴って自動的に起動されて動作する
ことを特徴とする表示装置。
【請求項３】
請求項１に記載の表示装置であって、
上記表示制御手段は、コンテンツ表示領域のみからなるウィンドウを生成し、そのウィンドウ内に上記受信した表示データを表示する
ことを特徴とする表示装置。
【請求項４】
請求項３に記載の表示装置であって、
上記表示制御手段は、上記ウィンドウを介してあるリンク先が指定されたときに、新たなウィンドウを生成することなく、そのリンク先から受信する表示データをそのウィンドウ内に表示する
ことを特徴とする表示装置。
【請求項５】
請求項１に記載の表示装置であって、
上記サーバから取得するデータの保存場所および上記サーバへ送信すべきデータの保存場所として、当該表示装置に着脱可能な記録媒体を指定するアクセス制御手段、
をさらに有することを特徴とする表示装置。
【請求項６】
請求項１に記載の表示装置であって、さらに、
予め決められたリンク先アドレスを格納するアドレス格納手段と、
ユーザの指示を受け付ける第１の受付け手段、を有し、
上記表示制御手段は、上記第１の受付け手段がユーザによる所定の操作を受け付けたときに、上記アドレス格納手段に格納されているアドレスが指定するリンク先から受信するデータを上記ディスプレイ部に表示する、
ことを特徴とする表示装置。
【請求項７】
請求項１に記載の表示装置であって、
ユーザの指示を受け付ける第２の受付け手段をさらに有し、
上記表示制御手段は、上記第２の受付け手段が受け付けたユーザの操作に応じて、コンテンツ表示領域のみからなるウィンドウ、またはブラウザを操作するための表示を含むウィンドウを切替表示する、
ことを特徴とする表示装置。
【請求項８】
請求項１に記載の表示装置であって、
ユーザの指示を受け付ける第３の受付け手段をさらに有し、
上記表示制御手段は、上記第３の受付け手段がユーザによる所定の操作を受け付けたときに、ユーザに文字等を入力させるためのキーボードを上記ディスプレイ部に表示する、
ことを特徴とする表示装置。
【請求項９】
請求項１〜８のいずれか１項に記載の表示装置であって、
前記表示装置の受信手段は、Ｗｅｂサーバにネットワークで接続され、
前記表示装置のアドレス格納手段には、前記Ｗｅｂサーバのアドレスが登録されている
ことを特徴とする表示装置。
【請求項１０】
産業用機械に組み込まれた表示装置において使用されるブラウザプログラムであって、上記表示装置のＣＰＵに実行されることにより、
Ｗｅｂサーバから表示データを受信する受信手段と、
上記受信した表示データの表示形式として、その表示データを上記表示装置のディスプレイ部の画面全体に表示させるための表示形式を指定する表示形式指定手段と、
上記表示形式指定手段により指定された表示形式で上記表示データを上記ディスプレイ部に表示する表示制御手段、
を提供することを特徴とするブラウザプログラム。
【発明の詳細な説明】
【技術分野】
【０００１】
本発明は、産業用機械に組み込まれたブラウザ機能を備える表示装置に係わる。
【背景技術】
【０００２】
従来より、作業者が機台の運転状況や設定条件を確認できるように、それらの情報を表示する表示装置が組み込まれた産業用機械が知られている。また、この種の表示装置のなかには、機台の動作条件などを設定するための入力機能（例えば、タッチパネル機能など）を備えるものが知られている。
【０００３】
例えば、特許文献１に記載されている産業用機器は、Ｗｅｂブラウザ機能を備える表示装置、およびＷｅｂサーバ機能を備える制御装置が組み込まれている。ここで、制御装置には、多数の表示データファイルが格納されている。そして、表示装置は、制御装置から所望の表示データファイルを取得し、それを表示する。したがって、表示データファイルとして機台の運転状況や設定条件に係わる情報を格納しておけば、作業者は、機台の運転の開始時や運転中に、それらの情報を確認できる。また、表示データファイルを更新することにより、表示内容を容易に変更することができる。
【特許文献１】特開２００３−５８２５号公報（図１、段落００１７〜００２２）
【発明の開示】
【発明が解決しようとする課題】
【０００４】
しかし、産業用機械に組み込まれた従来の表示装置は、その使い勝手がよいとは言えなかった。すなわち、各種の表示装置は、通常、その表示領域が比較的小さく、表示内容を見にくいことが多かった。また、Ｗｅｂブラウザ機能を利用してＷｅｂサーバに格納されている情報を表示する形態の場合は、例えばインターネットを使用したことのない作業者にとっては、使い勝手がよいとは言えず、場合によっては誤操作を招くこともあった。
【０００５】
本発明の目的は、産業用機械に組み込まれた表示装置の使い勝手を向上させることである。また、本発明の他の目的は、そのような表示装置を使用する際の作業者による誤操作を防止することである。
【課題を解決するための手段】
【０００６】
本発明の表示装置は、産業用機械に組み込まれたブラウザ機能を備える表示装置であって、ディスプレイ部と、サーバから表示データを受信する受信手段と、上記受信した表示データの表示形式を指定する表示形式指定手段と、上記表示形式指定手段により指定された表示形式で上記表示データを上記ディスプレイ部に表示する表示制御手段、を有し、上記表示形式指定手段は、上記受信した表示データを上記ディスプレイ部の画面全体に表示させるための表示形式を指定する。
【０００７】
この構成によれば、サーバから取得した表示データがディスプレイ部の画面全体に大きく表示される。したがって、産業用機械に組み込まれている表示装置のディスプレイ部が小さい場合であっても、表示データがユーザにとって見やすい状態で表示される。
上記表示装置において、上記受信手段、表示形式指定手段、表示制御手段は、当該表示装置の電源の投入に伴って自動的に起動されて動作するようにしてもよい。この構成によれば、表示装置の電源を投入すると、自動的に、サーバから取得した表示データがディスプレイ部に表示されることになる。したがって、コンピュータの操作に不慣れなユーザであっても、容易に必要な情報にたどり着くことができる。
【０００８】
また、上記表示装置において、表示制御手段は、コンテンツ表示領域のみからなるウィンドウを生成し、そのウィンドウ内に上記受信した表示データを表示するようにしてもよい。この構成によれば、ディスプレイ部を最大限に使って表示データを大きく表示することができる。
【０００９】
さらに、上記装置において、表示制御手段は、上記ウィンドウを介してあるリンク先が指定されたときに、新たなウィンドウを生成することなく、そのリンク先から受信する表示データをそのウィンドウ内に表示するようにしてもよい。この構成によれば、次々に異なるページを表示させても、同時に複数のウィンドウが生成されることはないので、画面が見にくくなることはない。
【００１０】
さらに、上記表示装置において、上記サーバから取得するデータの保存場所および上記サーバへ送信すべきデータの保存場所として、当該表示装置に着脱可能な記録媒体を指定するアクセス制御手段をさらに有するようにしてもよい。この構成によれば、コンピュータに不慣れなユーザがブラウザを利用してデータの送受信をした場合であっても、データの保存場所が不明になってしまうことはない。
【００１１】
さらに、上記表示装置において、予め決められたリンク先アドレスを格納するアドレス格納手段、およびユーザの指示を受け付ける第１の受付け手段を設け、表示制御手段は、上記第１の受付け手段がユーザによる所定の操作を受け付けたときに、上記アドレス格納手段に格納されているアドレスが指定するリンク先から受信するデータを上記ディスプレイ部に表示するようにしてもよい。この構成によれば、第１の受付け手段を操作するだけで、予め決めてあるリンク先から表示データを取得して表示できる。
【００１２】
さらに、上記表示装置において、ユーザの指示を受け付ける第２の受付け手段をさらに設け、表示制御手段は、上記第２の受付け手段が受け付けたユーザの操作に応じて、コンテンツ表示領域のみからなるウィンドウ、またはブラウザを操作するための表示を含むウィンドウを切替表示する。この構成によれば、見えやすい表示または操作性のよい表示を簡単に選択できる。
【００１３】
さらに、上記表示装置において、ユーザの指示を受け付ける第３の受付け手段をさらに設け、表示制御手段は、上記第３の受付け手段がユーザによる所定の操作を受け付けたときに、ユーザに文字等を入力させるためのキーボードを上記ディスプレイ部に表示するようにしてもよい。この構成によれば、キーボードを具備していない表示装置であっても、必要に応じて文字等を入力できる。
【発明の効果】
【００１４】
本発明によれば、表示装置の電源が投入されると、自動的にブラウザが起動され、産業用機械を使用するうえで必要な情報を提供するＷｅｂページが当該表示装置の画面全体に大きく表示される。したがって、表示装置の使い勝手がよく、コンピュータに不慣れな作業者であっても誤操作の可能性が低く抑えられる。
【発明を実施するための最良の形態】
【００１５】
図１は、本発明の実施形態に係る表示装置を含む産業用機械を示す図である。ここで、この産業用機械は、特に限定されるものではないが、例えば、繊維機械（織機、紡機を含む）である。
産業用機械１は、被制御部２、制御装置３、表示装置４を含む。被制御部２は、制御装置３の指示に従って動作するハードウェア部分である。制御装置３は、コンピュータにより実現され、産業用機械１の動作を制御する。また、制御装置３は、表示装置４に表示されるべきコンテンツを格納しており、表示装置４に対してＷｅｂサーバとして動作する。さらに、制御装置４は、インターネットを含む産業用機械１外のネットワークに接続する機能を備えている。ただし、本発明はこのような構成に限定されるものではなく、産業用機械を単体で使用する場合など、制御装置４は、インターネット等に接続する機能を備えていなくてもよい。
【００１６】
表示装置４は、例えば、産業用機械１に組み込まれたファンクションパネル装置であって、被制御部２および制御装置３の運転状況や設定条件を表示したり、ユーザ（以降は、「作業者」と呼ぶことにするが、作業者以外の者（例えば、管理者など）を排除するものではない。）に対する作業指示を表示したりする。また、表示装置４は、作業者に被制御部３の動作条件などを設定させるための入力機能（例えば、タッチパネル機能など）を備えている。なお、「産業用機械１に組み込まれた」とは、産業用機械１にはめ込まれている形態に限らず、産業用機械１に隣接して設けられている形態を含む。
【００１７】
表示装置４は、Ｗｅｂブラウザ機能を備えており、Ｗｅｂサーバとして動作する制御装置３が提供するコンテンツ、あるいはインターネット上のＷｅｂページを表示することができる。なお、表示装置４は、制御装置に接続されており、例えば、ＴＣＰ／ＩＰ、ＨＴＴＰに従ってデータを送受信することができる。
【００１８】
図２は、表示装置４の外観図である。表示装置４は、表示データを表示するディスプレイ部１１、および作業者の指示を受け付けるファンクションキー（押圧型スイッチ）Ｆ１〜Ｆ４を備える。ここで、ディスプレイ部１１は、タッチパネル機能を提供し、作業者からの入力を受け付けることができる。また、表示装置４は、着脱可能な記録媒体（たとえば、メモリカード１２）を使用することができる。
【００１９】
図３は、表示装置４のハードウェア構成図である。図３において、ＣＰＵ１０１は、ＯＳプログラムおよび本発明に係わるブラウザプログラムを含む各種プログラムを記憶装置１０２からメモリ１０３にロードして実行する。記憶装置１０２は、例えばメモリあるいはハードディスクで構成され、上記の各種プログラムを格納する。メモリ１０３は、例えば半導体メモリであり、ＣＰＵ１０１の作業領域として使用される。
【００２０】
記録媒体ドライバ１０４は、ＣＰＵ１０１の指示に従って可搬性記録媒体１０５にアクセスする。可搬性記録媒体１０５は、特に限定されるものではないが、本実施形態ではメモリカード１２に相当する。通信制御装置１０６は、ＣＰＵ１０１の指示に従って、ネットワークを介してデータを送受信する。本実施形態では、主に、ＴＣＰ／ＩＰ、ＨＴＴＰに従って制御装置３とデータを送受信する。
【００２１】
ディスプレイ部１０７は、例えば、液晶表示器であって、図２に示すディスプレイ部１１に相当する。なお、ディスプレイ部１０７は、タッチパネル機能等により作業者からの入力を受け付けることができる。入力部１０８は、作業者に入力を受け付けるスイッチであって、図２に示すファンクションキーＦ１〜Ｆ４に相当する。
【００２２】
図４は、表示装置４の機能ブロック図である。送受信部（受信手段）２１は、例えば、ＴＣＰ／ＩＰ、ＨＴＴＰをサポートし、アドレス格納部２４に格納されているアドレスまたは作業者により指定されたアドレスが指し示すＷｅｂページにアクセスし、表示データを要求する。そして、アクセス先のＷｅｂページから表示データを受信する。表示形式指定部（表示形式指定手段）２２は、表示データをディスプレイ部１１に表示する際の表示形式を指定する。なお、表示形式は、ブラウザプログラムの実装環境に応じて決まる手法（例えば、「属性（attribute）」または「リソース（resource）」の記述）で指定される。また、指定される表示形式は、後で説明するが、例えば、「全画面で表示する。タイトル・メニューなし。」である。
【００２３】
表示制御部（表示制御手段）２３は、表示形式指定部２２により指定された表示形式でＷｅｂページの表示データをディスプレイ部１１に表示する。また、表示制御部２３は、作業者によるファンクションキーＦ１〜Ｆ４の操作に応じて表示を切り替える。
アドレス格納部（アドレス格納手段）２４には、所定のＷｅｂページを指定するアドレスが格納されている。尚、このアドレス格納部２４には、制御装置３が提供するＷｅｂページを指し示すアドレスが「ホームポジションのアドレス」として予め登録されている。また、作業者は、このアドレス格納部２４に所望のアドレスを登録することができる。アクセス制御部（アクセス制御手段）２５は、Ｗｅｂページからダウンロードしたデータ、およびＷｅｂページにアップロードすべきデータの格納場所を指示する。ここでは、これらのデータがメモリカード１２に書き込まれるように設定されている。
【００２４】
次に、表示装置４の動作について説明する。表示装置４は、電源（図示せず）の投入に伴って、ブラウザプログラムを起動し、ディスプレイ部１１の全画面にブラウザ画面を表示することを特徴とする。したがって、産業用機械１の作業者がコンピュータの操作に慣れていない場合であっても、表示装置４は、Ｗｅｂサーバから必要な情報を受信して表示できる状態に起動されることとなる。
【００２５】
図５は、表示装置４の起動時の動作を示すフローチャートである。なお、このフローチャートの処理は、表示装置４の電源の投入に伴って実行される。
ステップＳ１では、ＯＳが起動される。続いて、ステップＳ２では、表示装置４のメインプログラムが起動される。そして、ステップＳ３において、ブラウザプログラムを起動するためのスレッドが作成される。
【００２６】
ステップＳ１１では、作成されたスレッドに従って、ブラウザが起動される。続いて、ステップＳ１２では、アクセスすべきＷｅｂページのアドレスを取得する。ここで、このアドレスは、アドレス格納部２４から取得する。
図６は、アドレス格納部２４を模式的に描いた図である。ここで、第１番目に登録されているアドレスは、制御装置３のＷｅｂページを指し示すアドレスであり、表示装置４のブラウザのホームポジションである。また、第２番目以降のアドレスは、産業用機械１のユーザ等により任意に登録される。そして、ステップＳ１２においては、アドレス格納部２４の第１番目に登録されている「制御装置３のＷｅｂページを指し示すアドレス」が取得される。
【００２７】
ステップＳ１３では、ステップＳ１２で取得したアドレスを用いてリンクを設定する。すなわち、制御装置３のＷｅｂページにアクセスする。そして、ステップＳ１４では、制御装置３のＷｅｂページをディスプレイ部１１に表示する。すなわち、表示装置４のブラウザ画面に、制御装置３のＷｅｂページが表示される。
【００２８】
このように、表示装置４は、電源が投入されると、自動的にブラウザが起動され、そのブラウザ画面に、自動的に、制御装置３のＷｅｂページが表示される。ここで、制御装置３のＷｅｂページは、産業用機械１の操作、監視、設定、メンテナンス等のための表示データを提供する。したがって、産業用機械１の作業者がコンピュータの操作に慣れていない場合であっても、表示装置４は、産業用機械１の操作に係わる作業を実施するうえで必要な情報を表示することができる。
【００２９】
なお、ステップＳ１５において、ブラウザイベントが発生すると、ステップＳ１６において、そのイベントが終了イベントであるか否かを調べる。そして、終了イベントでなければ、その発生したイベントに応じた処理が実行される。一方、そのイベントが終了イベントであれば、いったんブラウザプログラムが終了するが、その後、ステップＳ１１に戻ってブラウザが再起動される。そして、ステップＳ１２〜Ｓ１４が実行されることによって、再び、表示装置４のブラウザ画面に制御装置３のＷｅｂページが表示される。
【００３０】
これにより、表示装置４は、見かけ上、あたかも起動中ずっとブラウザのみが実行される端末であるかの如く動作する。この結果、表示装置４は、所望のＷｅｂページを閲覧できるＷｅｂブラウザ端末でありながら、Ｗｅｂサーバに所定のコンテンツもしくはインターネットへのリンクを設定しておくことにより、所要の機能、たとえば、産業用機械１の操作、監視、設定、メンテナンス等を実施可能となる。このため、表示装置４を起動する際に特別な操作が不要となり、産業用機械１の作業者にとっての使い勝手が向上する。また、表示装置４の機能を追加、更新する場合、表示装置４のプログラムを変更せず、Ｗｅｂサーバの設定の追加、更新によって対応可能である。
【００３１】
上述のようにしてブラウザが起動されると、Ｗｅｂページの表示データは、表示制御部２３によってディスプレイ部１１に表示される。このとき、表示制御部２３は、表示形式指定部２２により指定される表示形式に従って表示データを表示する。ここで、表示形式指定部２２により指定される表示形式は、「全画面で表示する。タイトル・メニューなし。」である。したがって、Ｗｅｂページの表示データは、図７（ａ）に示すように、ディスプレイ部１１の画面全体に表示される。すなわち、表示制御部２３は、例えば、タイトル領域、ツールバー、アドレスバー、ステータスバー等が無く、コンテンツ表示領域のみからなるウィンドウを生成し、そのウィンドウを利用してＷｅｂページの表示データをディスプレイ部１１に表示する。ここで、「コンテンツ表示領域」とは、Ｗｅｂページまたはそれと同等な表示データを表示するための領域のことをいうものとする。
【００３２】
したがって、表示装置４のディスプレイ部１１のサイズが十分に大きくなくても、作業者に対する作業指示を見えやすく表示させることができる。
また、表示装置４のブラウザは、常に、ディスプレイ部１１にウィンドウを１つだけ表示させる。すなわち、表示装置４の起動時には、まず、上述のようなウィンドウが表示される。このとき、例えば、ディスプレイ部１１に表示されているＨＴＭＬファイルに下記のタグが組み込まれているものとすると、表示画面上で「△△△」がクリックされると、一般には、新たなウィンドウが生成されてその新たなウィンドウ内に新たなリンク先index.htmlが表示される。
【００３３】
タグ：<A HREF="index.html" TARGET="#blank"> △△△ </A>
しかし、表示装置４のブラウザは、作業者によりこのような操作がされた場合であっても、新たなウィンドウを生成しない。すなわち、表示制御部２３は、ＨＴＭＬタグのリンク先がクリックされたときは、新たなウィンドウを生成することなく、先に表示されているウィンドウ内に新たなリンク先の表示データを表示する。
【００３４】
このように、表示装置４は、リンク先が切り替えられた場合であっても、同時に複数のウィンドウが生成されていることはなく、常に、ウィンドウを１つだけ表示するので、必要なコンテンツのみが可能な限り大きく表示されることとなり、産業用機械に組み込まれた表示装置として使い勝手が向上する。
【００３５】
さらに、表示装置４は、ブラウザを利用したファイル転送の対象ファイルをメモリカード１２に設定している。すなわち、Ｗｅｂページから取得するデータの保存場所および制御装置３へ送信すべきデータの保存場所として、メモリカード１２が固定的に指定されている。具体的には、アクセス制御部２５は、Ｗｅｂページからダウンロードしたデータ、およびＷｅｂページにアップロードすべきデータの格納場所として、メモリカード１２を指示する。なお、メモリカード上に新たにフォルダを作成すること、メモリカード上のファイルを削除すること、メモリカード上のファイルを他の記憶装置に移動させることは、管理者のみができるように設定されている。
【００３６】
このように、アクセス制御部２５によりデータの保存場所が固定的に決められているので、コンピュータに不慣れな作業者が表示装置４を利用してデータの送受信をした場合であっても、データの保存場所が不明になってしまうことはない。すなわち、必要なデータを即座に取り出すことができる。
【００３７】
次に、表示装置４が備えるファンクションキーＦ１〜Ｆ４について説明する。なお、ファンクションキーＦ１〜Ｆ４は、作業者の入力する指示を受け付ける押圧型のスイッチである。
ファンクションキーＦ１（第１の受付け手段）は、ブラウザ表示を予め決められたＵＲＬに切り替えるためのスイッチである。すなわち、作業者によりファンクションキーＦ１が押圧されると、送受信部２１は、アドレス格納部２４からファンクションキーＦ１に対応づけられているアドレスを取得し、そのアドレスが指し示すＷｅｂページから表示データを受信する。そして、表示制御部２３は、そのＷｅｂページをディスプレイ部１１に表示する。たとえば、図６に示す例では、ファンクションキーＦ１が押圧されると、ディスプレイ部１１にＷｅｂページＢが表示される。なお、ファンクションキーＦ１に対応するアドレスは、予め固定的に決められてもよいし、作業者により登録されるようにしてもよい。
【００３８】
ファンクションキーＦ２（第１の受付け手段）は、ブラウザ表示をホームポジションに切り替えるためのスイッチである。すなわち、作業者によりファンクションキーＦ２が押圧されると、送受信部２１は、アドレス格納部２４からファンクションキーＦ２に対応づけられているアドレスを取得し、そのアドレスが指し示すＷｅｂページから表示データを受信する。そして、表示制御部２３は、そのＷｅｂページをディスプレイ部１１に表示する。ここで、図６に示すように、ファンクションキーＦ２には、制御装置３のＷｅｂページが割り当てられている。従って、ファンクションキーＦ２が押圧されると、即座に、ホームポジションとしての制御装置３のＷｅｂページが表示されることになる。すなわち、表示装置４の操作に不慣れな作業者がリンク先を次々と切り替えた後であっても、ホームポジションに戻れなくなるような事態は起こらない。
【００３９】
ファンクションキーＦ３（第２の受付け手段）は、ツールバー、アドレスバー、ステータスバーの表示／非表示を指示するためのスイッチである。すなわち、作業者によりファンクションキーＦ３が押圧されると、表示制御部２３は、図７（ｂ）に示すように、ツールバー、アドレスバー、ステータスバーを含むウィンドウを生成し、先に表示されている表示データをその新たに生成したウィンドウ内に表示する。ここで、ツールバー、アドレスバー、ステータスバーが表示されると、作業者は、様々な作業を迅速に進めることが可能になるが、その一方で、コンテンツ表示領域は小さくなる。なお、ツールバー等を含むウィンドウが表示されている状態でファンクションキーＦ３が押圧されると、表示制御部２３は、コンテンツ表示領域のみからなるウィンドウに切り替える。このように、見やすさを優先した表示と、操作性を優先した表示とを任意に切り替えることができる。
【００４０】
ファンクションキーＦ４（第３の受付け手段）は、作業者に文字、数字、記号等を入力させるためのキーボードを表示させるスイッチである。すなわち、作業者によりファンクションキーＦ４が押圧されると、表示制御部２３は、ディスプレイ部１１にキーボードを表示する。なお、このキーボードが表示されている状態でファンクションキーＦ４が押圧されると、キーボードは非表示状態となる。したがって、作業者は、ファンクションパネルのようなキーボードを備えない表示装置であっても、必要に応じて文字、数字、記号等を入力することができ、例えば、所望のＵＲＬ等を指定できる。
【００４１】
なお、表示装置４は、作業者の指示に従ってアドレス格納部２４に格納されているＵＲＬ（あるいは、アドレス）を一覧表示させ、作業者に所望のＵＲＬを選択させることができる。このとき、表示されるＵＲＬの数が多すぎると、見にくいだけでなく、誤ったＷｅｂページを指定してしまうおそれもある。また、メモリの記憶容量に制限があるような場合、無条件にＵＲＬを登録し、格納するとメモリを圧迫することになる。そこで、表示装置４は、アドレス格納部２４に登録可能なアドレス数を所定数に制限している。また、表示装置４は、同様の理由で、アドレスバーから引き出すことができる履歴情報の量も制限している。
【図面の簡単な説明】
【００４２】
【図１】本発明の実施形態に係る表示装置を含む産業用機械を示す図である。
【図２】表示装置の外観図である。
【図３】表示装置のハードウェア構成図である。
【図４】表示装置の機能ブロック図である。
【図５】表示装置の起動時の動作を示すフローチャートである。
【図６】アドレス格納部を模式的に描いた図である。
【図７】表示装置の表示例である。
【符号の説明】
【００４３】
１      産業用機械
２      被制御部
３      制御装置
４      表示装置
１１    ディスプレイ部
１２    メモリカード
２１    送受信部
２２    表示形式指示部
２３    表示制御部
２４    アドレス格納部
２５    アクセス制御部
【図１】
2005056309.tif 000003
【図２】
2005056309.tif 000004
【図３】
2005056309.tif 000005
【図４】
2005056309.tif 000006
【図５】
2005056309.tif 000007
【図６】
2005056309.tif 000008
【図７】
2005056309.tif 000009